(57)【特許請求の範囲】
【請求項１】
２層に重ね合わされた矩形状の胴材と、長さ方向中心線に沿って２つ折りされ、２層に重ね合わされ、前記胴材の底縁において、前記胴材の両層間に挿入された底面形成部、および前記底面形成部の両端に連続し、長さ方向中心線に沿って２つ折りされ、２層に重ね合わされ、前記底面形成部に直角にのび、前記胴材の両側縁において、前記胴材の両層間に挿入された一対のサイドガセット形成部を有する挿入材とからなり、前記底面形成部の片層と前記胴材の片層、および前記底面形成部の他層と前記胴材の他層が前記胴材の底縁に沿ってヒートシールされ、接合され、前記サイドガセット形成部の片層と前記胴材の片層、および前記サイドガセット形成部の他層と前記胴材の他層が前記胴材の両側縁に沿ってヒートシールされ、接合されており、前記底面形成部と前記サイドガセット形成部間において、前記底面形成部がその２つ折り線に対し４５°の角度をもって折り返され、その折り返し部に前記サイドガセット形成部が折り重ねられ、両者が前記底面形成部の両層間に折り込まれており、前記サイドガセット形成部の２つ折り線が前記胴材の底縁に達し、前記折り返し部によって前記底面形成部と前記サイドガセット形成部が連続していることを特徴とするプラスチック袋。
【発明の詳細な説明】
【０００１】
【産業上の利用分野】
この発明は、プラスチック袋に関するものである。
【０００２】
【従来技術とその問題点】
これまでに、一対のサイドガセットのあるプラスチック袋が一般に使用されている。サイドガセットのあるプラスチック袋の場合、サイドガセットによってプラスチック袋を拡げ、その容量を大幅に増大することができる。さらに、プラスチック袋を拡げたとき、サイドガセットによって矩形状の底面が形成され、これを角底プラスチック袋として使用し、テーブルなどの支持面に直立させることもできる。しかしながら、その底面は完全に矩形状をなすわけではない。プラスチック袋の底面がある程度偏平化されるにすぎない。したがって、プラスチック袋を安定して直立させることはできない。直立させたプラスチック袋が不慮に倒れることもある。
【０００３】
【発明の目的】
したがって、この発明は、前記従来の問題を解決し、プラスチック袋を拡げたとき、その底面が完全に矩形状をなすようにすることを目的としてなされたものである。
【０００４】
【発明の構成】
この発明によれば、胴材と挿入材によってプラスチック袋が構成され、胴材は矩形状のもので、２層に重ね合わされる。挿入材は底面形成部およびサイドガセット形成部を有し、底面形成部は長さ方向中心線に沿って２つ折りされ、２層に重ね合わされる。そして、胴材の底縁において、挿入材の底面形成部が胴材の両層間に挿入される。さらに、一対のサイドガセット形成部が底面形成部の両端に連続し、サイドガセット形成部は長さ方向中心線に沿って２つ折りされ、２層に重ね合わされ、底面形成部に直角にのびる。そして、胴材の両側縁において、挿入材のサイドガセット形成部が胴材の両層間に挿入される。さらに、底面形成部の片層と胴材の片層、および底面形成部の他層と胴材の他層が胴材の底縁に沿ってヒートシールされ、接合され、サイドガセット形成部の片層と胴材の片層、およびサイドガセット形成部の他層と胴材の他層が胴材の両側縁に沿ってヒートシールされ、接合される。
【０００５】
底面形成部とサイドガセット形成部間において、底面形成部がその２つ折り線に対し４５°の角度をもって折り返され、その折り返し部にサイドガセット形成部が折り重ねられ、両者が底面形成部の両層間に折り込まれ、サイドガセット形成部の２つ折り線が胴材の底縁に達し、底面形成部の折り返し部によって底面形成部とサイドガセット形成部が連続するようにすることが好ましい。
【０００７】
【実施例の説明】
以下、この発明の実施例を説明する。
【０００８】
図１において、これはこの発明にかかるプラスチック袋であり、胴材１ａ，１ｂと挿入材からなり、図２に示すように、胴材１ａ，１ｂは矩形状のもので、２層に重ね合わされている。挿入材は底面形成部２ａ，２ｂおよびサイドガセット形成部３ａ，３ｂを有し、底面形成部２ａ，２ｂは長さ方向中心線に沿って２つ折りされ、２層に重ね合わされている。さらに、一対のサイドガセット形成部３ａ，３ｂが底面形成部の両端に連続し、サイドガセット形成部３ａ，３ｂも長さ方向中心線に沿って２つ折りされ、２層に重ね合わされている。したがって、底面形成部２ａ，２ｂにその２つ折り線４が形成され、サイドガセット形成部３ａ，３ｂにその２つ折り線５が形成されている。サイドガセット形成部３ａ，３ｂは底面形成部２ａ，２ｂに直角にのびる。
【０００９】
そして、図４に示すように、胴材１ａ，１ｂの底縁６において、挿入材の底面形成部２ａ，２ｂが胴材の両層１ａ，１ｂ間に挿入され、折り込まれ、胴材１ａ，１ｂの両側縁７において、挿入材のサイドガセット形成部３ａ，３ｂが胴材の両層１ａ，１ｂ間に挿入され、折り込まれる。さらに、底面形成部の片層２ａと胴材の片層１ａが胴材の底縁６に沿ってヒートシールされ、そのヒートシール線８が胴材の底縁６に沿って形成される。同様に、底面形成部の他層２ｂと胴材の他層１ｂが胴材の底縁６に沿ってヒートシールされ、接合され、そのヒートシール線９が胴材の底縁６に沿って形成される。さらに、サイドガセット形成部の片層３ａと胴材の片層１ａが胴材の両側縁７に沿ってヒートシールされ、そのヒートシール線１０が胴材の両側縁７に沿って形成される。同様に、サイドガセット形成部の他層３ｂと胴材の他層１ｂが胴材の両側縁７に沿ってヒートシールされ、そのヒートシール線１１が胴材の両側縁７に沿って形成される。
【００１０】
さらに、このプラスチック袋の挿入材については、まず、図３に示すように、底面形成部２ａ，２ｂとサイドガセット形成部３ａ，３ｂ間において、底面形成部２ａ，２ｂがその２つ折り線４に対し４５°の角度αをもって折り返され、その折り返し部１２が底面形成部の両層２ａ，２ｂ間に挿入される。その後、折り返し部１２にサイドガセット形成部３ａ，３ｂが折り重ねられ、両者が底面形成部の両層２ａ，２ｂ間に折り込まれ、これによって図２の挿入材が得られるものである。
【００１１】
したがって、底面形成部２ａ，２ｂの両端に底面形成部２ａ，２ｂの２つ折り線４に対し４５°の角度の折り返し線１３が形成され、折り返し部１２は底面形成部２ａ，２ｂの２つ折り線４に対し９０°の角度の２つ折り線１４をもつ。さらに、折り返し部１２とサイドガセット形成部３ａ，３ｂ間に底面形成部２ａ，２ｂの２つ折り線４に平行の折り曲げ線１５が形成され、サイドガセット形成部３ａ，３ｂの２つ折り線５が胴材の底縁６に達し、折り曲げ線１５は胴材の底縁６に沿ってのびる。したがって、底面形成部２ａ，２ｂの折り返し部１２によって底面形成部２ａ，２ｂとサイドガセット形成部３ａ，３ｂが連続するものであり、底面形成部２ａ，２ｂは台形状をなし、長辺および短辺を有し、長辺は胴材１ａ，１ｂの幅に対応する長さをもち、短辺は２つ折り線５の間隔に対応する長さをもつ。この結果、底面形成部２ａ，２ｂおよびサイドガセット形成部３ａ，３ｂを的確に折り曲げ、連続させることができる。
【００１２】
さらに、この実施例では、基材にシーラントをラミネートしたラミネートフィルムが胴材１ａ，１ｂおよび挿入材として使用されており、胴材１ａ，１ｂについては、その外面はナイロンなどの基材からなり、内面はポリエチレン、ポリプロピレンなどのシーラントからなる。反対に、挿入材については、その外面がポリエチレン、ポリプロピレンなどのシーラントからなり、内面はナイロンなどの基材からなる。
【００１３】
したがって、底面形成部２ａ，２ｂおよびサイドガセット形成部３ａ，３ｂの挿入後、胴材１ａ，１ｂおよび底面形成部２ａ，２ｂを一対のヒートシールバー間に挟み、ヒートシールバーによって胴材１ａ，１ｂおよび底面形成部２ａ，２ｂを加熱および加圧し、これによって底面形成部の両層２ａ，２ｂと胴材の両層１ａ，１ｂをヒートシールすることができる。底面形成部の片層２ａと他層２ｂが互いにヒートシールされることはなく、底面形成部の両層２ａ，２とその折り返し部１２が互いにヒートシールされることもない。底面形成部の折り返し部１２とサイドガセット形成部の両層３ａ，３ｂが互いにヒートシールされることもない。サイドガセット形成部の片層３ａと他層３ｂが互いにヒートシールされることもない。さらに、胴材１ａ，１ｂおよびサイドガセット形成部３ａ，３ｂを一対のヒートシールバー間に挟み、ヒートシールバーによって胴材１ａ，１ｂおよびサイドガセット形成部３ａ，３ｂを加熱および加圧し、これによってサイドガセット形成部の両層３ａ，３ｂと胴材の両層１ａ，１ｂをヒートシールすることができる。サイドガセット形成部の片層３ａと他層３ｂが互いにヒートシールされることはない。
【００１４】
これによって図１のプラスチック袋が得られるものである。したがって、サイドガセット形成部３ａ，３ｂによってサイドガセットが形成され、サイドガセットによってプラスチック袋を拡げ、その容量を増大することができる。さらに、プラスチック袋を拡げたとき、サイドガセット形成部３ａ，３ｂおよび折り返し部１２によって底面形成部２ａ，２ｂが拡げられ、底面形成部２ａ，２ｂによって矩形状の底面が形成される。そして、その底面において、ヒートシール線８，９および折り曲げ線１５が底面の四辺に沿ってのび、２つ折り線４，１４は底面の中央に配置される。したがって、プラスチック袋の底面が完全に矩形状をなし、これを安定して直立させることができる。
【００１５】
図１のプラスチック袋を製造するには、図５に示すように、２層に重ね合せたプラスチックフィルムを連続胴材１ａ，１ｂとして使用し、連続胴材１ａ，１ｂをその幅方向に一定長さずつ間欠送りする。たとえば、送りローラ１６によって連続胴材１ａ，１ｂを間欠送りする。さらに、図６に示すように、ガイドローラ１７によって連続胴材１ａ，１ｂを案内し、開口し、連続胴材１ａ，１ｂの間欠送り毎に、その開口位置において、挿入材の底面形成部２ａ，２ｂおよびサイドガセット形成部３ａ，３ｂを胴材の両層１ａ，１ｂ間に挿入する。その後、間欠送り毎に、ヒートシールバー１８によってサイドガセット形成部の両層３ａ，３ｂと胴材の両層１ａ，１ｂをヒートシールする。
【００１６】
たとえば、挿入材のサイドガセット形成部３ａ，３ｂを一定距離延長し、これによって耳部１９を形成し、連続胴材１ａ，１ｂの間欠送り毎に、その開口位置において、オートハンドに挿入材の耳部１９を把持し、その底面形成部２ａ，２ｂおよびサイドガセット形成部３ａ，３ｂを胴材の両層１ａ，１ｂ間に挿入する。さらに、一対のヒートシールバー１８を送り経路の上方および下方に配置し、次の間欠送りのとき、オートハンドで挿入材を操作し、これを１ピッチだけ間欠送りする。その後、操作機構によって上方のヒートシールバー１８を下降および上昇させ、下方のヒートシールバー１８を上昇および下降させ、連続胴材１ａ，１ｂおよび挿入材を各ヒートシールバー１８間に挟み、ヒートシールバー１８によって連続胴材１ａ，１ｂおよび挿入材を加熱および加圧し、これによってサイドガセット形成部の両層３ａ，３ｂと胴材の両層１ａ，１ｂをヒートシールする。ヒートシールするとき、ヒートシールバー１８が隣接する２つの挿入材間に位置し、各挿入材において、サイドガセット形成部の両層３ａ，３ｂと胴材の両層１ａ，１ｂが同時にヒートシールされるようにすることが好ましい。
【００１７】
その後、連続胴材１ａ，１ｂの間欠送り毎に、ヒートシールバー２０によって底面形成部の両層２ａ，２ｂと胴材の両層１ａ，１ｂをヒートシールする。たとえば、上下一対のヒートシールバー２０を送り経路の上方および下方に配置し、間欠送り毎に、操作機構によって上方のヒートシールバー２０を下降および上昇させ、下方のヒートシールバー２０を上昇および下降させ、連続胴材１ａ，１ｂおよび挿入材を各ヒートシールバー２０間に挟み、ヒートシールバー２０によって胴材１ａ，１ｂおよび底面形成部２ａ，２ｂを加熱および加圧すればよい。これによって底面形成部の両層２ａ，２ｂと胴材の両層１ａ，１ｂをヒートシールすることができる。その後、間欠送り毎に、各挿入材間において、カッタ２１によって連続胴材１ａ，１ｂを切断すると、それによって図１のプラスチック袋を製造することができる。挿入材の耳部１９については、それを適宜切断すればよい。
【００１８】
図７に示すように、底面形成部２ａ，２ｂおよびサイドガセット形成部３ａ，３ｂの挿入後、超音波シール装置によってサイドガセット形成部３ａ，３ｂと胴材１ａ，１ｂをスポットシールし、スポットシール部２２を形成する。これによって挿入材と胴材１ａ，１ｂを仮止めしてもよい。この場合、次の間欠送りのとき、オートハンドで挿入材を間欠送りする必要はなく、仮止め後、挿入材をオートハンドから解放し、オートハンドを胴材１ａ，１ｂおよび挿入材から後退させることができる。
【００１９】
挿入材の底面形成部２ａ，２ｂおよびサイドガセット形成部３ａ，３ｂを胴材の両層１ａ，１ｂ間に挿入するとき、オートハンドに挿入材の底面形成部２ａ，２ｂを把持し、底面形成部２ａ，２ｂおよびサイドガセット形成部３ａ，３ｂを逆向きに挿入し、挿入材と胴材１ａ，１ｂの仮止め後、オートハンドを胴材１ａ，１ｂおよび挿入材から後退させるようにしてもよい。
【００２１】
図８に示すように、胴材の頂縁２４において、雄型および雌型のチャックテープ２５を胴材の両層１ａ，１ｂ間に挿入するようにしてもよい。チャックテープ２５はプラスチック袋の開口縁を閉じるためのものである。この場合、図９に示すように、サイドガセット形成部３ａ，３ｂの先端において、サイドガセット形成部３ａ，３ｂを４５°の角度αをもって折り返し、その折り返し部２６をサイドガセット形成部の両層３ａ，３ｂ間に折り込んでもよい。そして、底面形成部２ａ，２ｂおよびサイドガセット形成部３ａ，３ｂの挿入後、チャックテープ２５をサイドガセット形成部３ａ，３ｂの折り返し部２６間に挿入すると、ヒートシールバーまたは超音波シールバー２７によって胴材の両層１ａ，１ｂと雄型および雌型のチャックテープ２３をヒートシールまたは超音波シールし、サイドガセット形成部３ａ，３ｂの折り返し部２６と雄型および雌型のチャックテープ２５をヒートシールまたは超音波シールすることができ、好ましい。
【００２２】
【発明の効果】
以上説明したように、この発明によれば、プラスチック袋を拡げたとき、その底面が完全に矩形状をなし、これを安定して直立させることができる。直立させたプラスチック袋が不慮に倒れることはなく、所期の目的を達成することができるものである。
【図面の簡単な説明】
【図１】この発明の実施例を示す正面図である。
【図２】図１の胴材と挿入材の分解斜視図である。
【図３】図２の挿入材の中間形成状態を示す斜視図である。
【図４】図２の挿入材を挿入し、ヒートシールした状態を示す斜視図である。
【図５】図１のプラスチック袋の製造工程を示す平面図である。
【図６】図５の胴材および挿入材の側面図である。
【図７】他の実施例を示す平面図である。
【図８】他の実施例を示す平面図である。
【図９】図８の挿入材のサイドガセット形成部の一部を示す斜視図である。
【図１】
0004057164.tif 000002
【図２】
0004057164.tif 000003
【図３】
0004057164.tif 000004
【図４】
0004057164.tif 000005
【図５】
0004057164.tif 000006
【図６】
0004057164.tif 000007
【図７】
0004057164.tif 000008
【図８】
0004057164.tif 000009
【図９】
0004057164.tif 000010